(57)【要約】【課題】屋外での側溝や壁際コーナー部位の清掃に適した優れた作業性を発揮する清掃具の提供を目的とする。【解決手段】この清掃具(１)は、一端側が開放されてゴミ取入口(４)が形成され、他端側が閉塞された略コーン状、略筒状又は略椀状の清掃具本体(２)と、この清掃具本体(２)に取り付けられた柄(３)とを備えている。そして、清掃具本体(２)は、側溝(20)内への差し入れ時やコーナー部位(40)への当接時に、その自重若しくは柄(３)の下方への押し込みによって、一端側下部が側溝(20)の溝底(35)やコーナー部位(40)に沿うように変形するようになっている。【選択図】図１
2007277839.tif 000002
【特許請求の範囲】
【請求項１】
一端側が開放されてゴミ取入口が形成され、他端側が閉塞された略コーン状、略筒状又は略椀状の清掃具本体と、この清掃具本体に取り付けられた柄とを備え、前記清掃具本体は、前記ゴミ取入口周りを任意形状に変形可能とする可撓性を有していることを特徴とする清掃具。
【請求項２】
一端側が開放されてゴミ取入口が形成され、他端側が閉塞された略コーン状、略筒状又は略椀状の清掃具本体と、この清掃具本体に取り付けられた柄とを備え、前記清掃具本体は、前記ゴミ取入口を横向きにした状態での側溝の溝底への当接時に、その自重若しくは前記柄の下方への押し込みによって前記一端側下部を前記側溝の溝底に沿うように変形可能とする可撓性を有していることを特徴とする清掃具。
【請求項３】
一端側が開放されてゴミ取入口が形成され、他端側が閉塞された略コーン状、略筒状又は略椀状の清掃具本体と、この清掃具本体に取り付けられた柄とを備え、前記清掃具本体は、前記ゴミ取入口を横向きにした状態でのコーナー部位への当接時に、その自重若しくは前記柄の下方への押し込みによって前記一端側下部を前記コーナー部位に沿うように変形可能とする可撓性を有していることを特徴とする清掃具。
【請求項４】
前記清掃具本体は、天然ゴム、合成ゴム又は廃タイヤ等から得られる廃ゴムを主素材として形成されている請求項1乃至３のいずれかに記載の清掃具。
【請求項５】
前記清掃具本体に、水や泥、砂、小石等を外部へ排出するための排出孔が形成されている請求項１乃至４のいずれかに記載の清掃具。
【請求項６】
前記柄を持ち上げて前記清掃具本体を被清掃部位から離間させたときに、前記ゴミ取入口が縦長の略楕円形状となる請求項１乃至５のいずれかに記載の清掃具。
【請求項７】
前記柄を持ち上げて前記清掃具本体を被清掃部位から離間させたときに、前記ゴミ取入口が上向きとなるにように、前記清掃具本体が前記柄の下端部に揺動可能に枢着されている請求項１乃至６のいずれかに記載の清掃具。
【請求項８】
側溝蓋を側溝から取り外すための取外用部材が着脱可能に取り付けられている請求項１乃至７のいずれかに記載の清掃具。
【請求項９】
被清掃部位に付着した付着物を剥ぎ取るための剥ぎ取り用部材が着脱可能に取り付けられている請求項１乃至８のいずれかに記載の清掃具。
【発明の詳細な説明】
【技術分野】
【０００１】
この発明は、例えば屋外での清掃、特に側溝や壁際コーナー部位の清掃に適した清掃具に関する。
【背景技術】
【０００２】
屋外における側溝等の清掃に使用される清掃具として、特許文献１や特許文献２に開示されたものがある。
【０００３】
特許文献１に開示された清掃具は、ゴミを収容する袋体のゴミ取入口に、側溝幅よりも短い幅寸法を有する枠体を取り付け、その枠体に棒状の柄を固着した構造となっている。
【０００４】
特許文献２に開示された清掃具は、ゴミを収容する袋体のゴミ取入口に、可撓性を有するリング状の枠体を取り付けた構造となっている。
【０００５】
【特許文献１】特開２００３−２３９２３４号公報
【特許文献２】特開平７−２３７６２３号公報
【発明の開示】
【発明が解決しようとする課題】
【０００６】
しかしながら、特許文献１に開示された清掃具では、枠体の幅寸法が一定であるため、側溝幅が異なる側溝の清掃に柔軟に対応することができず、使用性に乏しかった。
【０００７】
一方、特許文献２に開示された清掃具では、枠体が可撓性を有しているので、側溝幅が異なる側溝の清掃に際しても、その溝底に沿うように枠体が変形して柔軟に対応することができる。しかし、袋体のゴミ取入口に枠体を取り付けた構造にあっては、側溝への挿入時や側溝からの取り外し時に、保形性のほとんどない袋体が側溝の壁面に引っ掛かって破損し易く、また袋体が収容したゴミによって膨れているような場合には扱い難く、作業性に乏しかった。これは、特許文献１に記載の清掃具についても言えることである。
【０００８】
この発明は、上記の不具合を解消して、屋外での側溝や壁際コーナー部位の清掃に適した優れた作業性を発揮する清掃具の提供を目的とする。
【課題を解決するための手段】
【０００９】
上記の課題を解決するため、この発明の清掃具は、一端側が開放されてゴミ取入口が形成され、他端側が閉塞された略コーン状、略筒状又は略椀状の清掃具本体と、この清掃具本体に取り付けられた柄とを備え、前記清掃具本体は、前記ゴミ取入口周りを任意形状に変形可能とする可撓性を有していることを特徴とする。
【００１０】
具体的に、前記清掃具本体は、前記ゴミ取入口を横向きにした状態での側溝の溝底への当接時に、その自重若しくは前記柄の下方への押し込みによって前記一端側下部を前記側溝の溝底に沿うように変形可能とする可撓性を有している。
【００１１】
また、前記清掃具本体は、前記ゴミ取入口を横向きにした状態でのコーナー部位への当接時に、その自重若しくは前記柄の下方への押し込みによって前記一端側下部を前記コーナー部位に沿うように変形可能とする可撓性を有している。
【００１２】
そして、前記清掃具本体は、天然ゴム、合成ゴム又は廃タイヤ等から得られる廃ゴムを主素材として形成されている。さらに、前記清掃具本体に、水や泥、砂、小石等を外部へ排出するための排出孔が形成されている。さらにまた、前記柄を持ち上げて前記清掃具本体を被清掃部位から離間させたときに、前記ゴミ取入口が縦長の略楕円形状となる。
【００１３】
また、前記柄を持ち上げて前記清掃具本体を被清掃部位から離間させたときに、前記ゴミ取入口が上向きとなるにように、前記清掃具本体が前記柄の下端部に揺動可能に枢着されている。
【００１４】
さらに、側溝蓋を側溝から取り外すための取外用部材や被清掃部位に付着した付着物を剥ぎ取るための剥ぎ取り用部材が着脱可能に取り付けられている。
【発明の効果】
【００１５】
この発明の清掃具では、略コーン状、略筒状又は略椀状に形成された清掃具本体のゴミ取入口周りが、凹凸のある地面や側溝の溝底、壁際コーナー部位に沿うように変形することから、これら被清掃部位の清掃を簡単かつ確実に行うことができる。しかも、従来のような保形性のほとんどない袋体のゴミ取入口に枠体を取り付けたものと比べて、清掃に際しての取り扱いが容易となり、作業性が向上する。
【００１６】
さらに、清掃具本体をゴム素材によって形成することで、清掃具本体をより柔軟に変形させることができ、作業性をさらに高めることができる。特に、廃ゴムを主素材とすることで、資源のリサイクルにも貢献することができる。
【００１７】
また、清掃具本体に排出孔を形成して、水や泥、砂、小石等を外部へ排出することで、落葉やゴミだけを集めて、清掃効率を高めることができる。さらに、清掃具本体のゴミ取入口が縦長の略楕円形状になっていると、例えば清掃具本体を側溝内へ差し入れ易くなり、側溝等の清掃に際しての作業性をさらに向上することができる。さらにまた、柄を持ち上げたときに、清掃具本体のゴミ取入口が上向きとなると、清掃具本体内に収容した落葉やゴミがこぼれ落ちるのを防止することができる。また、取外用部材や剥ぎ取り用部材が着脱可能に取り付けられていると、側溝の清掃に際しての作業性をさらに向上することができる。
【発明を実施するための最良の形態】
【００１８】
以下、この発明の実施形態を図面に基づいて詳細に説明する。この発明の一実施形態に係る清掃具(１)は、図１に示すように、清掃具本体(２)に柄(３)を取り付けてなる。
【００１９】
清掃具本体(２)は、例えば廃タイヤ等から得られる廃ゴムを主素材として全体的に略コーン状に成形されており、一端側が開放されてゴミ取入口(４)とされ、他端側が閉塞されている。この清掃具本体(２)は、全体的に可撓性を有しており、特にゴミ取入口(４)が任意形状に変形可能となっている。清掃具本体(２)のゴミ取入口(４)内周側は、ゴミや落葉を掃き入れ易いように斜めにカットされている。
【００２０】
なお、清掃具本体(２)は、廃ゴム以外に、天然ゴムや合成ゴムによって成形しても良い。また、このようなゴムだけでなく、清掃具本体(２)のゴミ取入口(４)を上記のように任意形状に変形可能にすることができれば、例えばその他の軟質の合成樹脂材や薄肉の金属材によって成形しても良い。さらに、このような合成樹脂材や金属材とゴムとを組み合わせて成形しても良い。また、図２に示すように、清掃具本体(２) のゴミ取入口(４) を横向きにした状態における一端側下部に、略平坦部分を形成して、被清掃部位への設置を安定させるようにしても良い。さらにまた、清掃具本体(２)の要所要所に補強芯を埋め込むか、或いは、清掃具本体(２)の内面又は外面の要所要所に補強芯を取り付けて、保形性を高めても良い。また、清掃具本体(２)の内面又は外面の要所要所に切り込みや溝等を形成して、可撓性を高めても良い。さらにまた、清掃具本体(２)の内面の要所要所に突起や凹みを形成して、清掃具本体(２)内のゴミや落葉が落下し難いようにしても良い。さらに、清掃具本体(２)に着色を施して、意匠性を高めるようにしても良い。
【００２１】
そして、この清掃具本体(２)の他端側には、水や泥、砂、小石等を外部へ排出するための複数の排出孔(５)が形成されている。なお、排出孔(５)としては、図に示すようなスリット状のものだけに限らず、例えば小孔状のものであったり、或いは、清掃具本体(２)の他端側の頂部を切り落としてなるものであっても良い。
【００２２】
この清掃具本体(２)は、例えば薄板状の廃ゴムを略扇形に加工して、排出孔(５)を形成するとともに、その径方向に沿った両端部をＬ形に折曲し、それら端部同士を重ね合わせてコ字形の連結部材(６)によって接合することで、略コーン状に形成されている。なお、このような略扇形に加工したものを接合して、略コーン状に形成するだけに限らず、射出成形やブロー成形等によって継ぎ目のない略コーン状に形成しても良い。
【００２３】
柄(３)は、上下２本の合成樹脂製のパイプ材(９)(10)を嵌合してなり、その嵌合部分の長さを調節することで、伸縮可能となっている。なお、この柄(３)としては、廃プラスチック材を主素材として成形するのが、リサイクルの観点からも好ましい。図において、(11)は、柄(３)の上端に取り付けたグリップ、(12)は、柄(３)の嵌合部分を締め付けて柄(３)の不用意な伸縮を防止するための締結部材である。
【００２４】
そして、この柄(３)の下端部には、ゴミ取入口(４)を横向きにした状態における清掃具本体(２)の一端側上部が横軸(13)を介して揺動可能に枢着されている。これにより、柄(３)を持ち上げて清掃具本体(２)を被清掃部位から離間させたときに、図３に示すように、清掃具本体(２) がその自重によって横軸(13)周りに揺動して、ゴミ取入口(４)が上向きになり、清掃具本体(２)内のゴミや落葉が落下し難いようになっている。なお、柄(３)の下端部には、清掃具本体(２)を枢着するだけに限らず、清掃具本体(２)を固定するようにして、柄(３)と清掃具本体(２)とを一体化させるようにしても良い。
【００２５】
さらに、柄(３)には、図４に示すように、側溝(20)から側溝蓋(21)を取り外すための取外用部材(22)がベルト(23)等によって着脱可能に取り付けられている。この取外用部材(22)は、例えば金属製、合成樹脂製又は硬質ゴム製の帯板からなる本体部(24)と、その両端を折り曲げることによって形成した大きさの異なる引掛部(25)(26)とを備えている。なお、一端側にのみ引掛部(25)を形成して、他端側にはグリップ部を形成しても良い。また、取外用部材(22)は、ベルト(23)によって取り付けるだけに限らず、柄(３)に設けた係合部材を介して着脱可能に取り付けるようにしても良い。
【００２６】
また、このような取外用部材(22)だけでなく、図５に示すような被清掃部位に付着した付着物を剥ぎ取るための剥ぎ取り用部材(30)を、柄(３)に着脱可能に取り付けても良い。この剥ぎ取り用部材(30)は、例えば金属製、合成樹脂製又は硬質ゴム製の帯板からなる本体部(31)と、その一端側に形成したへら状の剥ぎ取り部(32)と、本体部(31)の他端側を折り曲げることによって形成した引掛部(33)とを備えている。なお、引掛部(33)の代わりに、グリップ部を形成しても良い。さらに、図示しないが、ゴミや落葉を掃き集めるための箒部材を柄(３)に着脱可能に取り付けても良い。
【００２７】
次に、上記構成の清掃具(１)を使用した屋外での清掃について説明する。例えば地面を清掃する場合には、清掃具本体(２)をゴミ取入口(４)が横向きになるようにして地面に当接させると、自重によりゴミ取入口(４)が縦長の略楕円形状から横長の略楕円形状に変形して、地面に対する接触面積が拡大する。
【００２８】
そして、柄(３)を下向きに軽く押し込むことで、地面に多少の凹凸がある場合でも、その凹凸を吸収するように清掃具本体(２)の下部が地面に押し付けられる。これにより、地面に落ちているゴミや落葉を清掃具本体(２)内に確実に掃き入れることができる。
【００２９】
また、側溝(20)を清掃する場合には、図６に示すように、清掃具本体(２)をゴミ取入口(４)が横向きになるようにして側溝(20)内へ差し入れる。このとき、清掃具本体(２)のゴミ取入口(４)が縦長の略楕円形状となっているので、清掃具本体(２)を側溝(20)内へ容易に差し入れることができる。そして、清掃具本体(２)を側溝(20)の溝底(35)に当接させると、自重により清掃具本体(２)の一端側下部が側溝(20)の溝底(35)に沿って変形し、さらに柄(３)を下向きに軽く押し込むことで、図７に示すように、清掃具本体(２)の一端側下部が側溝(20)の溝底(35)に押し付けられる。
【００３０】
このように、清掃具本体(２)の一端側下部が側溝(20)の溝底(35)に沿うように変形することで、側溝(20)内に落ちているゴミや落葉を清掃具本体(２)内に確実に掃き入れることができる。なお、清掃具本体(２)の一端側下部が側溝(20)の溝底(35)に沿った状態とは、清掃具本体(２)の一端側下部が側溝(20)の溝底(35)に隙間なく密着した状態までを求める意味ではなく、ゴミや落葉の掃き入れに支障をきたさない程度の多少の隙間が形成されている状態を含んでいる。
【００３１】
また、この側溝(20)の清掃に際して、例えばグレーチング材等からなる側溝蓋(21)が側溝(20)に設けられている場合には、図８に示すように、取外用部材(22)を使用して、その引掛部(25)(26)を側溝蓋(21)の桟材(27)に引っ掛けて持ち上げることで、側溝蓋(21)を側溝(20)から簡単に取り外すことができる。また、平板状の側溝蓋の場合には、側溝蓋間の隙間に取外用部材(22)の引掛部(25)(26) を引っ掛けて持ち上げるようにすれば良い。さらに、側溝(20)内にゴミや落葉等が付着しているときには、剥ぎ取り用部材(30)を使用して、その剥ぎ取り部(32)で付着物を掻き落とすことで、付着物を側溝(20)から簡単に剥ぎ取ることができる。
【００３２】
一方、道路の路肩のコーナー部位や地面と壁との間のコーナー部位を清掃する場合には、図９に示すように、清掃具本体(２)をゴミ取入口(４)が横向きになるようにしてコーナー部位(40)に当接させると、自重により清掃具本体(２)の一端側下部がコーナー部位(40)に沿って略L字状に変形し、さらに柄(３)をコーナー部位(40)へ向かって斜め下方へ軽く押し込むことで、清掃具本体(２)の一端側下部がコーナー部位(40)に押し付けられる。
【００３３】
これにより、コーナー部位(40)に溜まっているゴミや落葉を清掃具本体(２)内に確実に掃き入れることができる。なお、清掃具本体(２)の一端側下部がコーナー部位(40)に沿った状態とは、清掃具本体(２)の一端側下部がコーナー部位(40)に隙間なく密着した状態までを求める意味ではなく、ゴミや落葉の掃き入れに支障をきたさない程度の多少の隙間が形成されている状態を含んでいる。
【００３４】
なお、この発明は、上記実施形態に限定されるものではなく、この発明の範囲内で上記実施形態に多くの修正及び変更を加え得ることは勿論である。
【００３５】
例えば、清掃具本体(２)の形状は、略コーン状に限らず、例えば図１０に示すように略筒状であったり、又は略コーン状の他端側を丸くした略椀状であっても良い。
【図面の簡単な説明】
【００３６】
【図１】この発明の一実施形態に係る清掃具の斜視図である。
【図２】同じくその変形例を示す斜視図である。
【図３】清掃具本体を被清掃部位から離間させたときの状態を示す側面図である。
【図４】取外用部材の斜視図である。
【図５】剥ぎ取り用部材の斜視図である。
【図６】側溝を清掃するときの状態を示す正面図である。
【図７】側溝を清掃するときの状態を示す正面図である。
【図８】取外用部材の使用状態を示す斜視図である。
【図９】コーナー部位を清掃するときの状態を示す正面図である。
【図１０】他の実施形態に係る清掃具の斜視図である。
【符号の説明】
【００３７】
(１)  清掃具
(２)  清掃具本体
(３)  柄
(４)  ゴミ取入口
(５)  排出孔
(20)  側溝
(21)  側溝蓋
(22)  取外用部材
(30)  剥ぎ取り用部材
(35)  溝底
(40)  コーナー部位
【図１】
2007277839.tif 000003
【図２】
2007277839.tif 000004
【図３】
2007277839.tif 000005
【図４】
2007277839.tif 000006
【図５】
2007277839.tif 000007
【図６】
2007277839.tif 000008
【図７】
2007277839.tif 000009
【図８】
2007277839.tif 000010
【図９】
2007277839.tif 000011
【図１０】
2007277839.tif 000012